(57)【要約】【目的】調理器が備える各種機能の動作態様を規定する動作パラメータの初期化を容易に行うことができる調理器を提供する。【構成】マグネトロンＭを停止させた状態でキー入力部７から入力された動作内容に従って動作を行うデモモードを備える調理器１において、調理器１が備える各種機能の動作態様を規定する動作パラメータを記憶する記憶領域として２つのパラメータ記憶領域を不揮発性メモリ１３に設定する。２つのパラメータ記憶領域には、工場出荷時点で予め定める初期値を記憶させる。制御部１１は、デモモードが設定されると、第１パラメータ記憶領域に対して動作パラメータの読出しおよび書込みを行い、デモモードが解除されると、第２パラメータ記憶領域に対して動作パラメータの読出しおよび書込みを行う。【選択図】        図１
2005233573.tif 000002
【特許請求の範囲】
【請求項１】
加熱手段と、
調理器の動作内容を入力する入力手段と、
前記加熱手段を停止させた状態で前記入力手段から入力された動作内容に従って動作するデモモードの設定および解除を指示するモード切換手段と、
調理器のモードが記憶されるモード記憶領域と、調理器の動作態様を規定する複数の動作パラメータがそれぞれ記憶される２つのパラメータ記憶領域とを有し、各パラメータ記憶領域には予め定める初期内容が記憶されている不揮発性メモリと、
各動作パラメータの内容を選択するパラメータ選択手段と、
前記モード切換手段からの指示内容および前記パラメータ選択手段からの選択内容に基づいて、前記不揮発性メモリに対して書込みを行い、前記入力手段から入力された動作内容および前記不揮発性メモリから読み出した記憶内容に基づいて、調理器の動作を制御する制御手段とを備え、
前記制御手段は、前記モード切換手段でデモモードの設定が指示されると、前記モード記憶領域にデモモードであることを書き込み、デモモードであることが前記モード記憶領域に記憶されているデモモード状態では、動作パラメータの書込みおよび読出しを行う記憶領域として第１のパラメータ記憶領域を選択し、前記モード切換手段でデモモードの解除が指示されると、前記モード記憶領域からデモモードであることを消去し、デモモードであることが前記モード記憶領域から消去されているデモモード解除状態では、動作パラメータの書込みおよび読出しを行う記憶領域として第２のパラメータ記憶領域を選択することを特徴とする調理器。
【請求項２】
請求項１に記載の調理器において、前記制御手段は、デモモード状態では、前記パラメータ選択手段で動作パラメータの内容が選択されると、選択された動作パラメータの内容を前記第１パラメータ記憶領域に書き込み、前記入力手段から動作内容が入力されると、入力された動作内容と前記第１パラメータ記憶領域から読み出した動作パラメータとに基づいて、前記加熱手段を停止させた状態で調理器の動作を制御し、
デモモード解除状態では、前記パラメータ選択手段で動作パラメータの内容が選択されると、選択された動作パラメータの内容を前記第２パラメータ記憶領域に書き込み、前記入力手段から動作内容が入力されると、入力された動作内容と前記第２パラメータ記憶領域から読み出した動作パラメータとに基づいて、調理器の動作を制御することを特徴とする調理器。
【請求項３】
加熱手段と、
調理器の動作内容を入力する入力手段と、
前記加熱手段を停止させた状態で前記入力手段から入力された動作内容に従って動作するデモモードの設定および解除を指示するモード切換手段と、
調理器のモードが記憶されるモード記憶領域と、調理器の動作態様を規定する複数の動作パラメータが記憶されるパラメータ記憶領域とを有し、パラメータ記憶領域には予め定める初期内容が記憶されている不揮発性メモリと、
各動作パラメータの内容を選択するパラメータ選択手段と、
前記モード切換手段からの指示内容および前記パラメータ選択手段からの選択内容に基づいて、前記不揮発性メモリに対して書込みを行い、前記入力手段から入力された動作内容および前記不揮発性メモリから読み出した記憶内容に基づいて、調理器の動作を制御する制御手段とを備え、
前記制御手段は、前記モード切換手段からデモモードの設定が指示されると、前記モード記憶領域にデモモードであることを書き込み、前記モード切換手段からデモモードの解除が指示されると、前記モード記憶領域からデモモードであることを消去するとともに、前記パラメータ記憶領域に予め定める初期内容を書き込むことを特徴とする調理器。
【請求項４】
請求項３記載の調理器において、前記制御手段は、前記パラメータ選択手段で動作パラメータの内容が選択されると、選択された動作パラメータの内容を前記パラメータ記憶領域に書き込み、前記入力手段から動作内容が入力されると、デモモード状態では、入力された動作内容と前記パラメータ記憶領域から読み出した動作パラメータとに基づいて、前記加熱手段を停止させた状態で調理器の動作を制御し、デモモード解除状態では、入力された動作内容と前記パラメータ記憶領域から読み出した動作パラメータとに基づいて、調理器の動作を制御することを特徴とする調理器。
【請求項５】
請求項１〜４のいずれかに記載の調理器において、デモモードの設定の指示は、前記入力手段における予め定める特殊入力操作であることを特徴とする調理器。
【発明の詳細な説明】
【技術分野】
【０００１】
本発明は、マグネトロンや電熱ヒータなどの加熱手段を備えた調理器であって、加熱手段を停止させた状態で、ユーザが入力した動作内容に従って動作するデモモードを備えた調理器に関するものである。
【背景技術】
【０００２】
最近の電子レンジなどの調理器は、マイクロコンピュータが搭載されているので多種多様な調理が可能である反面、操作が複雑である。そのため、調理器の販売を促進するためには、たとえば販売店の店頭で、店員が調理器の操作を実演しながら調理器の性能や機能、操作方法などを顧客に説明する必要がある。
【０００３】
調理器の操作の実演においては、マグネトロンなどの加熱手段が駆動されるので、調理器の加熱室内に被加熱物を入れなければならず、面倒である。また、加熱室内に被加熱物を入れていない状態でマグネトロンなどの加熱手段を駆動するのは、危険であり、また加熱手段の寿命を短くするおそれもあり、好ましくない。
【０００４】
そこで、加熱手段を停止させた状態で、ユーザが入力した動作内容に従って動作するデモモードを備えた調理器が開発されている。デモモードを備えた調理器は、たとえば特許文献１に記載されている。特許文献１に記載されている調理器は、店員等によって特殊操作が行われると、マグネトロン等の負荷調理手段の駆動制御を禁止する特殊モードである販売促進モード（デモモード）に移行するように構成されている。
【０００５】
しかし、この調理器では、販売促進モードは一日の店頭業務の終了等によって調理器の電源が切られると解除されてしまうので、次の日に同様に操作の実演を行う場合は、店員等は電源を投入した後に再び特殊操作を行う必要があり、面倒である。また、この特殊操作は一般に複雑であり、店員等が忘れてしまう場合もある。
【０００６】
そこで、特殊操作が行われて一旦販売促進モードへ移行すると、電源が切られた後に再び電源が投入されたときであっても、簡単に販売促進モードへ移行できる調理器が開発されている。このような調理器は、たとえば特許文献２に記載されている。特許文献２に記載されている調理器では、店員等によって特殊操作が行われると、販売促進モードへ移行するとともに、特殊操作があったことが不揮発性メモリに記憶され、電源が切られてその後再び電源が投入された場合に、不揮発性メモリに特殊操作があったことが記憶されていると、特殊操作が行われなくても販売促進モードに移行する。
【０００７】
ところで、最近の調理器には、調理器が備える様々な機能の動作態様をユーザの好みに応じて設定変更することができるものがある。たとえば、調理の終了をユーザに報知する調理終了音については、調理終了音の音質や音量を変更することができ、調理器が備える表示部については、表示の輝度を変更することができる。また、メモリキーに対応させて加熱時間を記憶させるメモリ機能については、記憶させる加熱時間を変更することができる。このような調理器では、調理器が備える各種機能の動作態様を規定する複数の動作パラメータは、調理器の電源が切られても消去されないようにするために、上記の特許文献２の調理器と同様に不揮発性メモリに記憶されている。
【特許文献１】実公平３−１７１３４号公報
【特許文献２】特開平５−３３９４４号公報
【発明の開示】
【発明が解決しようとする課題】
【０００８】
デモモードが設定されて操作の実演に使用された調理器が販売された場合は、その調理器を購入者に引き渡す前に、デモモードを解除する必要がある。これは、デモモードではマグネトロンなどの加熱手段が駆動しないので、デモモードが設定されたままでは調理を行うことができないからである。
【０００９】
さらに、デモモードの解除とともに、操作の実演のために設定した各種の動作パラメータを、予め定められた初期値たとえば工場出荷時に設定されていた値に設定しなおす、いわゆる動作パラメータの初期化を行う必要がある。これは、調理器を購入したユーザが動作パラメータの初期化を行わなくても済むようにするためである。
【００１０】
すなわち、工場出荷時点での調理器の動作パラメータは、一般ユーザが通常使用する動作態様を想定して設定されているので、調理器を購入したユーザは通常は設定変更などの調整操作を行うことなく、すぐに調理器を使用することができる。しかし、たとえば店頭での操作の実演のためにデモモードで動作パラメータが変更された調理器を、動作パラメータを初期化することなく販売してユーザに引き渡した場合は、ユーザは動作パラメータを初期化するための調整操作を行う必要があり、ユーザに負担をかけることになる。そのため、調理器を購入したユーザに負担をかけないようにするために、動作パラメータの初期化を行う必要がある。
【００１１】
また、動作パラメータの初期化を行う必要があるのは、たとえば調理器の操作マニュアルは動作パラメータが初期値であることを前提として記載されている場合が多く、動作パラメータが初期値とは異なる値に設定されていると、ユーザが混乱したり、故障しているのではないかと考えたりして、ユーザの誤解を招くおそれがあるからである。
【００１２】
デモモードの解除および動作パラメータの初期化は、販売店の店員が手作業で行う必要があり、面倒である。また、動作パラメータの初期化は、１つずつ行う必要があり、操作が煩雑であり、また複雑である。特に、動作パラメータの数が多い場合は、設定し忘れたり、誤った値に設定したりする可能性が高くなる。
【００１３】
本発明は、このような従来技術における問題点に着目してなされたものであって、調理器が備える各種機能の動作態様を規定する動作パラメータの初期化を容易に行うことができる調理器を提供することを目的とする。
【課題を解決するための手段】
【００１４】
本発明に係る調理器は、加熱手段と、
調理器の動作内容を入力する入力手段と、
前記加熱手段を停止させた状態で前記入力手段から入力された動作内容に従って動作するデモモードの設定および解除を指示するモード切換手段と、
調理器のモードが記憶されるモード記憶領域と、調理器の動作態様を規定する複数の動作パラメータがそれぞれ記憶される２つのパラメータ記憶領域とを有し、各パラメータ記憶領域には予め定める初期内容が記憶されている不揮発性メモリと、
各動作パラメータの内容を選択するパラメータ選択手段と、
前記モード切換手段からの指示内容および前記パラメータ選択手段からの選択内容に基づいて、前記不揮発性メモリに対して書込みを行い、前記入力手段から入力された動作内容および前記不揮発性メモリから読み出した記憶内容に基づいて、調理器の動作を制御する制御手段とを備え、
前記制御手段は、前記モード切換手段でデモモードの設定が指示されると、前記モード記憶領域にデモモードであることを書き込み、デモモードであることが前記モード記憶領域に記憶されているデモモード状態では、動作パラメータの書込みおよび読出しを行う記憶領域として第１のパラメータ記憶領域を選択し、前記モード切換手段でデモモードの解除が指示されると、前記モード記憶領域からデモモードであることを消去し、デモモードであることが前記モード記憶領域から消去されているデモモード解除状態では、動作パラメータの書込みおよび読出しを行う記憶領域として第２のパラメータ記憶領域を選択することを特徴とする。
【００１５】
また上記調理器において、前記制御手段は、デモモード状態では、前記パラメータ選択手段で動作パラメータの内容が選択されると、選択された動作パラメータの内容を前記第１パラメータ記憶領域に書き込み、前記入力手段から動作内容が入力されると、入力された動作内容と前記第１パラメータ記憶領域から読み出した動作パラメータとに基づいて、前記加熱手段を停止させた状態で調理器の動作を制御し、
デモモード解除状態では、前記パラメータ選択手段で動作パラメータの内容が選択されると、選択された動作パラメータの内容を前記第２パラメータ記憶領域に書き込み、前記入力手段から動作内容が入力されると、入力された動作内容と前記第２パラメータ記憶領域から読み出した動作パラメータとに基づいて、調理器の動作を制御することを特徴とする。
【００１６】
また本発明に係る調理器は、加熱手段と、
調理器の動作内容を入力する入力手段と、
前記加熱手段を停止させた状態で前記入力手段から入力された動作内容に従って動作するデモモードの設定および解除を指示するモード切換手段と、
調理器のモードが記憶されるモード記憶領域と、調理器の動作態様を規定する複数の動作パラメータが記憶されるパラメータ記憶領域とを有し、パラメータ記憶領域には予め定める初期内容が記憶されている不揮発性メモリと、
各動作パラメータの内容を選択するパラメータ選択手段と、
前記モード切換手段からの指示内容および前記パラメータ選択手段からの選択内容に基づいて、前記不揮発性メモリに対して書込みを行い、前記入力手段から入力された動作内容および前記不揮発性メモリから読み出した記憶内容に基づいて、調理器の動作を制御する制御手段とを備え、
前記制御手段は、前記モード切換手段からデモモードの設定が指示されると、前記モード記憶領域にデモモードであることを書き込み、前記モード切換手段からデモモードの解除が指示されると、前記モード記憶領域からデモモードであることを消去するとともに、前記パラメータ記憶領域に予め定める初期内容を書き込むことを特徴とする。
【００１７】
また上記調理器において、前記制御手段は、前記パラメータ選択手段で動作パラメータの内容が選択されると、選択された動作パラメータの内容を前記パラメータ記憶領域に書き込み、前記入力手段から動作内容が入力されると、デモモード状態では、入力された動作内容と前記パラメータ記憶領域から読み出した動作パラメータとに基づいて、前記加熱手段を停止させた状態で調理器の動作を制御し、デモモード解除状態では、入力された動作内容と前記パラメータ記憶領域から読み出した動作パラメータとに基づいて、調理器の動作を制御することを特徴とする。
【００１８】
また上記調理器において、デモモードの設定の指示は、前記入力手段における予め定める特殊入力操作であることを特徴とする。
【発明の効果】
【００１９】
本発明の調理器によれば、調理器の動作態様を規定する複数の動作パラメータを書き込むパラメータ記憶領域が不揮発性メモリに２つ設定されており、動作パラメータの書込みおよび読出しを行う記憶領域として、デモモード状態では第１パラメータ記憶領域が選択され、デモモード解除状態では第２パラメータ記憶領域が選択される。
【００２０】
したがって、販売店の店員がデモモードに設定して店頭で調理器の操作の実演を行うときに実演に最適な動作パラメータを設定した場合でも、設定した動作パラメータは第１パラメータ記憶領域に書き込まれ、工場出荷時の動作パラメータの初期内容は第２パラメータ記憶領域に保持されているので、デモモードの解除操作が行われたときは制御手段が動作パラメータを読み出すパラメータ記憶領域を変更するだけで動作パラメータの初期化を行うことができる。
【００２１】
これによって、店頭での操作実演に使用した調理器を販売して購入者に引き渡すときは、販売店の店員はデモモードを解除するための操作を行うだけでよく、従来のように店員が動作パラメータを１つずつ設定しなおして初期化させる必要がなくなるので、作業者による動作パラメータの初期化作業が不要になり、作業者の負担が大幅に軽減される。また、店員が動作パラメータの初期化を忘れることが防止されるので、調理器を購入した顧客が動作パラメータの初期化を行う必要がなくなり、顧客に負担をかけることがなくなる。
【００２２】
また本発明の調理器によれば、デモモード状態では、店員等が前記パラメータ選択手段で動作パラメータの内容を選択すると、選択された動作パラメータの内容は前記第１パラメータ記憶領域に書き込まれる。そして、店員等が前記入力手段から動作内容を入力すると、入力された動作内容と前記第１パラメータ記憶領域から読み出した動作パラメータとに基づいて、前記加熱手段を停止させた状態で調理器は動作する。これによって、店員等は販売店の店頭で、調理器の操作の実演を行うことができる。
【００２３】
またデモモード解除状態では、一般ユーザ等が前記パラメータ選択手段で動作パラメータの内容を選択すると、選択された動作パラメータの内容は前記第２パラメータ記憶領域に書き込まれる。そして、一般ユーザ等が前記入力手段から動作内容を入力すると、入力された動作内容と前記第２パラメータ記憶領域から読み出した動作パラメータとに基づいて、調理器は動作する。これによって、一般ユーザ等は、調理器を所望の動作態様で使用することができる。
【００２４】
また本発明の調理器によれば、デモモードの解除が指示されると、不揮発性メモリのモード記憶領域の記憶内容が消去されるとともに、パラメータ記憶領域の各動作パラメータの内容が予め定められた初期内容に書き直されて初期化される。したがって、販売店の店員が店頭で調理器の操作の実演を行うときに実演に最適な動作パラメータを設定した場合でも、デモモードの解除を指示すると、動作パラメータの初期化が行われる。
【００２５】
これによって、店頭での操作実演に使用した調理器を販売して購入者に引き渡すときは、販売店の店員はデモモードを解除するための操作を行うだけでよく、従来のように店員が動作パラメータを１つずつ設定しなおして初期化させる必要がなくなるので、作業者による動作パラメータの初期化作業が不要になり、作業者の負担が大幅に軽減される。また、店員が動作パラメータの初期化を忘れることが防止されるので、調理器を購入した顧客が動作パラメータの初期化を行う必要がなくなり、顧客に負担をかけることがなくなる。
【００２６】
また本発明の調理器によれば、デモモード状態では、店員等が前記パラメータ選択手段で動作パラメータの内容を選択すると、選択された動作パラメータの内容は前記パラメータ記憶領域に書き込まれる。そして、店員等が前記入力手段から動作内容を入力すると、入力された動作内容と前記パラメータ記憶領域から読み出した動作パラメータとに基づいて、前記加熱手段を停止させた状態で調理器は動作する。これによって、店員等は販売店の店頭で、調理器の操作の実演を行うことができる。
【００２７】
またデモモード解除状態では、一般ユーザ等が前記パラメータ選択手段で動作パラメータの内容を選択すると、選択された動作パラメータの内容は前記パラメータ記憶領域に書き込まれる。そして、一般ユーザ等が前記入力手段から動作内容を入力すると、入力された動作内容と前記パラメータ記憶領域から読み出した動作パラメータとに基づいて、調理器は動作する。これによって、一般ユーザ等は、所望の動作態様で調理器を使用することができる。
【００２８】
また本発明の調理器によれば、入力手段で予め定める特殊入力操作を行うことによってデモモードの設定を指示するようにしたので、調理器を購入した一般ユーザが誤ってデモモードに設定してしまうことを防止することができる。
【発明を実施するための最良の形態】
【００２９】
（第１実施形態）
図１は、本発明の第１実施形態である調理器１の基本的な電気的構成を示すブロック図であり、図２は調理器１の外観を示す斜視図である。調理器１は、図２に示されるように、略直方体のケーシング２内に加熱室３を有し、調理器１の前面部には、加熱室３を開放・密閉する開閉可能なドア４が設けられている。また、ドア４の右側には操作部５が設けられており、操作部５は表示部６とキー入力部７とを備えている。
【００３０】
ケーシング２内のたとえば操作部５の背後には、加熱手段であるマグネトロンＭ（図１参照）が配置されており、マグネトロンＭから発生したマイクロ波は導波管を通って図示しないアンテナから加熱室３内に放射される。マグネトロンＭは、図１に示すように、高圧トランスＴから供給される駆動電圧によって駆動される。
【００３１】
マグネトロンＭのカソードＭＫの２つの端子は、高圧トランスＴのヒータ巻線ＴＨの２つの端子にそれぞれ接続され、マグネトロンＭのアノードＭＡは接地されている。また、マグネトロンＭのカソードＭＫの一方端子は、高圧コンデンサＣの一方端子に接続されるとともに、高圧ダイオードＤのアノードに接続されている。高圧コンデンサＣの他方端子は、高圧トランスＴの二次巻線Ｔ２の一方端子に接続され、高圧トランスＴの二次巻線Ｔ２の他方端子は接地されている。また、高圧ダイオードＤのカソードは、接地されている。高圧コンデンサＣと高圧ダイオードＤとは、半波倍電圧整流回路ＲＣを構成している。
【００３２】
高圧トランスＴの一次巻線Ｔ１の一方端子は、マグネトロン駆動制御用リレーＲの一方端子に接続され、マグネトロン駆動制御用リレーＲの他方端子は、第１のドアスイッチＤＳ１を介して交流電源Ｖの一方端子に接続されている。マグネトロン駆動制御用リレーＲの制御端子には、制御部１１からの制御信号が入力される。一方、高圧トランスＴの一次巻線Ｔ１の他方端子は、第２のドアスイッチＤＳ２を介して交流電源Ｖの他方端子に接続されている。さらに、高圧トランスＴの一次巻線Ｔ１の他方端子とマグネトロン駆動制御用リレーＲの他方端子との間には、モニタースイッチＭＳが介挿されている。
【００３３】
２つのドアスイッチＤＳ１，ＤＳ２は、ドア４の開閉に連動してオン／オフするスイッチであり、ドア開時はオフとされ、ドア閉時はオンとされる。また、モニタースイッチＭＳも、ドア４の開閉に連動してオン／オフするスイッチであるが、ドアスイッチＤＳ１，ＤＳ２とは逆で、ドア開時はオンとされ、ドア閉時はオフとされる。なお、ドア閉時は、モニタースイッチＭＳがオフしてからドアスイッチＤＳ１，ＤＳ２がオンとなり、ドア開時は、ドアスイッチＤＳ１，ＤＳ２がオフしてからモニタースイッチＭＳがオンとなるように構成されている。
【００３４】
ドア４を閉じると、モニタースイッチＭＳが開となり、その後２つのドアスイッチＤＳ１，ＤＳ２が閉となる。この状態で、マグネトロン駆動制御用リレーＲをオンとすると、交流電源Ｖからの交流電圧が高圧トランスＴの一次巻線Ｔ１に供給される。これによって、高圧トランスＴ１では、ヒータ巻線ＴＨにはマグネトロンＭのカソードＭＫに適した交流電圧が誘起し、二次巻線Ｔ２にはマグネトロンＭの発振に適した交流電圧が誘起する。そして、高圧トランスＴのヒータ巻線ＴＨに誘起された交流電圧は、マグネトロンＭのカソードＭＫに供給され、これによってマグネトロンＭが加熱される。また、高圧トランスＴの二次巻線Ｔ２に誘起した交流電圧は、半波倍電圧整流回路ＲＣによって整流され、整流された高電圧がマグネトロンＭのカソードＭＫの一方端子に供給される。これによって、マグネトロンＭが発振動作を開始する。マグネトロンＭの発振動作によってマイクロ波が出力され、出力されたマイクロ波は加熱室３に供給され、加熱室３内の被加熱物が加熱される。
【００３５】
一方、ドア４を開けると、２つのドアスイッチＤＳ１，ＤＳ２が開となり、その後モニタースイッチＭＳが閉となる。この状態では、マグネトロン駆動制御用リレーＲがオンになったとしても、交流電源Ｖからの交流電圧は高圧トランスＴの一次巻線Ｔ１には供給されず、マグネトロンＭは動作しない。
【００３６】
モニタースイッチＭＳは、ドアスイッチＤＳ１，ＤＳ２の接点が加熱によって溶着し、ドア４を開けてもドアスイッチＤＳ１，ＤＳ２が閉のままになった場合のマグネトロンＭの誤動作を防止するために設けられている。すなわち、モニタースイッチＭＳはドア４を開けたときに閉となるように構成されているので、仮にドアスイッチＤＳ１，ＤＳ２が接点の溶着によって閉のままになった場合でも、モニタースイッチＭＳが閉であるので交流電源Ｖに対して短絡回路が形成され、高圧トランスＴの一次巻線Ｔ１には交流電源Ｖからの交流電圧は供給されず、マグネトロンＭが動作することはない。これによって、ドア４が開いた状態でマグネトロンＭが動作して調理器１の外部にマイクロ波が漏洩することを防止することができる。
【００３７】
また、調理器１には、加熱室３内の加熱状態を検出するための赤外線センサ１２が設けられており、赤外線センサ１２の出力信号は制御部１１に与えられる。さらに制御部１１には、キー入力部７からの出力信号も与えられる。キー入力部７は、マグネトロンＭを停止させた状態で調理器１の操作の実演を行うデモモードの設定および解除を指示するとき、調理器１の動作態様を規定する動作パラメータの内容を選択するとき、および調理器１の動作内容を入力するときなどにユーザが操作するものである。また、キー入力部７はメモリキーを有し、調理器１ではこのメモリキーに対応させて加熱時間を記憶させることができる。これによって、調理器１のユーザは、加熱時間を設定する際に、メモリキーを押すだけで加熱時間を設定することができる。
【００３８】
制御部１１は、赤外線センサ１２やキー入力部７からの各出力信号や不揮発性メモリ１３の記憶内容などに基づいて、調理器１の動作、たとえば表示部６、マグネトロン駆動制御用リレーＲ、調理終了音出力部１４の動作を制御する。制御部１１は、たとえばマイクロコンピュータで構成され、ＣＰＵ（Central Processing Unit：中央演算処理装置）、ＲＯＭ（Read Only Memory：読出し専用メモリ）、ＲＡＭ（Random Access Memory：ランダムアクセスメモリ）などを備えて構成される。
【００３９】
表示部６は、制御部１１からの制御信号に基づいて、キー入力部７からの入力内容や調理器１の動作状態などを表示するものであり、表示の輝度を段階的に設定できるように構成されている。本実施形態では、表示の輝度として“明るい”、“標準”、“暗い”の３段階のいずれかに設定することができるものとする。
【００４０】
調理終了音出力部１４は、制御部１１からの制御信号に基づいて、ユーザに調理の終了を報知するための調理終了音を出力するものであり、調理終了音の音質を複数種類の中から１つ選択することができるとともに、調理終了音の音量を段階的に設定することができるように構成されている。本実施形態では、調理終了音の音質として“メロディ１”、“メロディ２”の２種類の中から１つを選択することができ、調理終了音の音量として“大”、“中”、“小”の３段階のいずれかに設定できるものとする。
【００４１】
不揮発性メモリ１３は、ＥＥＰＲＯＭ（Electrically Erasable Programmable Read Only Memory：電気的消去可能ＲＯＭ）で実現され、デモモードであるか否かを記憶するモード記憶領域や、調理器１が備える各種機能の動作態様を規定する動作パラメータを記憶するパラメータ記憶領域を有する。動作パラメータとは、たとえば表示部６における表示の輝度、調理終了音出力部１４における調理終了音の音質や音量、メモリキーに対応させて記憶させる加熱時間などである。本実施形態では、パラメータ記憶領域としてアドレス１０ｈ〜１Ｆｈとアドレス２０ｈ〜２Ｆｈとの２つの記憶領域を不揮発性メモリ１３に設定している。２つのパラメータ記憶領域には、工場出荷時点では、ともに予め定められた初期値が書き込まれている。
【００４２】
続いて、調理器１の動作を説明する。
［デモモードの設定］
調理器１において、キー入力部７で予め定める設定操作が行われると、制御部１１は予め定める設定操作を認識し、不揮発性メモリ１３のモード記憶領域にデモモードであることを書き込む。これによって、調理器１ではデモモードが設定される。デモモードとは、上記のように、マグネトロンＭを停止させた状態で調理器１の操作の実演を行うモードである。デモモードが設定された場合、たとえば表示部６にデモモードである旨が表示される。なお、デモモードを設定する際に行う設定操作としては、一般ユーザが誤ってデモモードを設定することを防止するために、調理器１で通常行う操作たとえば調理を指示するときに行う操作とは異なる特殊な操作を設定することが望ましい。
【００４３】
［デモモードの解除］
調理器１において、キー入力部７で予め定める解除操作が行われると、制御部１１は予め定める解除操作を認識し、不揮発性メモリ１３のモード記憶領域の書込み内容（デモモードであること）を消去する。これによって、調理器１ではデモモードが解除され、いわゆる調理モードが設定される。また制御部１１は、デモモードである旨を表示部６に表示していたときは、その表示を消去する。デモモードを解除する際に行う解除操作としては、設定操作と同様に、調理器１で通常行う操作とは異なる操作であることが望ましく、販売店の店員等が覚えやすいようにデモモードの設定操作と同じ操作にしてもよい。
【００４４】
［動作パラメータの設定変更］
図３（ａ）は、動作パラメータ設定時の制御部１１の処理内容を説明するためのフローチャートである。ステップａ１でパラメータ設定操作がキー入力部７で行われたかどうかを確認し、ステップａ２でパラメータ設定操作が行われたと判断すると、ステップａ３で不揮発性メモリ１３のモード記憶領域を参照してデモモードが設定されているか否かを判断する。
【００４５】
デモモードが設定されている場合は、ステップａ４で動作パラメータを書き込む不揮発性メモリ１３の記憶アドレスを２０ｈ〜２Ｆｈに指定し、ステップａ６では入力された動作パラメータを不揮発性メモリ１３のアドレス２０ｈ〜２Ｆｈのうちの対応するアドレスに書き込む。
【００４６】
デモモードが設定されていない場合は、ステップａ５で動作パラメータを書き込む不揮発性メモリ１３の記憶アドレスを１０ｈ〜１Ｆｈに指定し、ステップａ６では入力された動作パラメータを不揮発性メモリ１３のアドレス１０ｈ〜１Ｆｈのうちの対応するアドレスに書き込む。
【００４７】
このように、調理器１では、デモモードが設定されているときと、デモモードが解除されたいわゆる調理モードとでは、動作パラメータは不揮発性メモリ１３の異なる記憶領域に書き込まれる。
【００４８】
［電源投入時］
図３（ｂ）は、調理器１の電源を投入したときの制御部１１の処理内容を説明するためのフローチャートである。調理器１の電源が投入されると、ステップｂ１では不揮発性メモリ１３のモード記憶領域を参照し、ステップｂ２でデモモードであると判断した場合は、ステップｂ３に進み、動作パラメータを読み出す不揮発性メモリ１３の読出しアドレスを２０ｈ〜２Ｆｈに指定し、ステップｂ５では不揮発性メモリ１３のアドレス２０ｈ〜２Ｆｈから必要な動作パラメータを読み出す。なお、電源投入後にデモモードであると判断した場合、デモモード設定操作時と同様に、表示部６にデモモードである旨を表示する。
【００４９】
ステップｂ２でデモモードではないと判断した場合は、ステップｂ４に進み、動作パラメータを読み出す不揮発性メモリ１３の読出しアドレスを１０ｈ〜１Ｆｈに指定し、ステップｂ５では不揮発性メモリ１３のアドレス１０ｈ〜１Ｆｈから必要な動作パラメータを読み出す。
【００５０】
［調理のための操作時］
調理器１では、キー入力部７で調理のための操作が行われると、入力された動作内容に従った動作が行われる。ただし、デモモード状態では入力された動作内容と不揮発性メモリ１３のアドレス２０ｈ〜２Ｆｈの記憶内容とに基づいて動作が制御されるのに対し、デモモード解除状態では入力された動作内容と不揮発性メモリ１３のアドレス１０ｈ〜１Ｆｈの記憶内容とに基づいて動作が制御される。また、デモモード状態では、マグネトロンＭは駆動されない。
【００５１】
デモモード状態では、たとえば食品などの被加熱物を加熱室３内に入れてドア４を閉め、キー入力部７から加熱時間を入力すると表示部６に入力された時間が表示される。その後、スタートキーを押しても、マグネトロンＭは駆動されない。入力された加熱時間が経過すると、調理終了を報知するための調理終了音が出力される。なお、加熱時間の入力は、キー入力部７のメモリキーを操作して不揮発性メモリ１３に記憶されている加熱時間を読み出すことで行うこともできる。このようにデモモード状態では、店員等は販売店の店頭で、調理器１の操作の実演を行うことができる。
【００５２】
一方、デモモード解除状態（調理モード状態）では、たとえば食品などの被加熱物を加熱室３内に入れてドア４を閉め、キー入力部７から加熱時間を入力すると表示部６に入力された時間が表示される。その後、スタートキーを押すと、マグネトロンＭが駆動されて被加熱物が加熱される。入力された加熱時間が経過すると、マグネトロンＭが停止されるとともに、調理終了を報知するための調理終了音が出力される。なお、加熱時間の入力を、キー入力部７のメモリキーを操作して行うことができるのは、デモモード状態のときと同様である。このようにデモモード解除状態では、一般ユーザ等は調理器１を所望の動作態様で使用することができる。
【００５３】
上述したように本実施形態の調理器１では、調理器１が備える各種機能の動作態様を規定する複数の動作パラメータを書き込む記憶領域が不揮発性メモリ１３に２つ設定されており、デモモード状態で設定される動作パラメータとデモモード解除状態で設定される動作パラメータとは、不揮発性メモリ１３の異なる記憶領域に書き込まれる。
【００５４】
したがって、販売店の店員がデモモードに設定して店頭で調理器１の操作の実演を行うときに実演に最適な動作パラメータを設定した場合でも、設定した動作パラメータは不揮発性メモリ１３のアドレス２０ｈ〜２Ｆｈに書き込まれ、工場出荷時の動作パラメータの初期値は不揮発性メモリ１３のアドレス１０ｈ〜１Ｆｈに保持されているので、デモモードの解除操作が行われたときは制御部１１が動作パラメータを読み出すアドレスを変更するだけで動作パラメータの初期化を行うことができる。
【００５５】
これによって、店頭での操作実演に使用した調理器１を販売して購入者に引き渡すときは、販売店の店員はデモモードを解除するための操作を行うだけでよく、従来のように店員が動作パラメータを１つずつ設定しなおして初期化させる必要がなくなるので、作業者による動作パラメータの初期化作業が不要になり、作業者の負担が大幅に軽減される。また、店員が動作パラメータの初期化を忘れることが防止されるので、調理器１を購入した顧客が動作パラメータの初期化を行う必要がなくなり、顧客に負担をかけることがなくなる。
【００５６】
（第２実施形態）
本発明の第２実施形態である調理器は、図１に示されている調理器と基本的な構成は同じであるが、複数の動作パラメータを記憶する記憶領域がアドレス１０ｈ〜１Ｆｈの記憶領域だけであることが相違点である。以下、第２実施形態の調理器の動作を説明する。
【００５７】
［デモモードの設定］
デモモードを設定する際の作業者の操作内容や調理器の制御部１１が行う処理内容は、第１実施形態と同じであるので、説明を省略する。
【００５８】
［デモモードの解除］
デモモードを解除する際の作業者の操作内容は、第１実施形態と同じであるが、制御部１１の処理内容が第１実施形態とは相違する。図４は、デモモード解除時の制御部１１の処理内容を説明するためのフローチャートである。
【００５９】
ステップｃ１でデモモード解除操作がキー入力部７で行われたかどうかを確認し、ステップｃ２でデモモード解除操作が行われたと判断すると、不揮発性メモリ１３のモード記憶領域の書込み内容（デモモードであること）を消去するとともに、表示部６にデモモードである旨を表示していたときはその表示を消去し、さらに不揮発性メモリ１３のパラメータ記憶領域の記憶内容を予め定める初期値に書き換えて動作パラメータの初期化を行う。
【００６０】
具体的には、ステップｃ３では調理終了音の音質として“メロディ１”を書き込み、ステップｃ４では調理終了音の音量として“中”を書き込み、ステップｃ５ではメモリキーに対応させて記憶させる調理時間として“１分”を書き込み、ステップｃ６では表示部６の輝度として“標準”を書き込む。動作パラメータの初期値は、制御部１１を構成するマイクロコンピュータが備えるＲＯＭに記憶されている。
【００６１】
このように第２実施形態では、作業者がデモモードの解除操作を行うと、不揮発性メモリ１３のモード記憶領域の記憶内容が消去されるとともに、パラメータ記憶領域の動作パラメータが初期値に書き直されて初期化される。
【００６２】
［動作パラメータの設定変更］
調理器において、キー入力部７でパラメータ設定操作が行われると、制御部１１は入力されたパラメータを不揮発性メモリ１３のアドレス１０ｈ〜１Ｆｈのうちの対応するアドレスに書き込む。この処理は、デモモード状態とデモモード解除状態とのいずれの場合でも同じである。
【００６３】
［電源投入時］
調理器において電源が投入されると、制御部１１は、不揮発性メモリ１３のモード記憶領域を参照し、デモモードであると判断した場合は、デモモード設定操作時と同様に、表示部６にデモモードである旨を表示する。
【００６４】
［調理のための操作入力時］
調理器では、キー入力部７で調理のための操作が行われると、入力された動作内容と不揮発性メモリ１３のアドレス１０ｈ〜１Ｆｈの記憶内容に従った動作が行われる。ただし、デモモード状態では、マグネトロンＭは駆動されない。
【００６５】
デモモード状態では、たとえば食品などの被加熱物を加熱室３内に入れてドア４を閉め、キー入力部７から加熱時間を入力すると表示部６に入力された時間が表示される。その後、スタートキーを押しても、マグネトロンＭは駆動されない。入力された加熱時間が経過すると、調理終了を報知するための調理終了音が出力される。なお、加熱時間の入力は、キー入力部７のメモリキーを操作して不揮発性メモリ１３に記憶されている加熱時間を読み出すことで行うこともできる。このようにデモモード状態では、店員等は販売店の店頭で、調理器の操作の実演を行うことができる。
【００６６】
一方、デモモード解除状態（調理モード状態）では、たとえば食品などの被加熱物を加熱室３内に入れてドア４を閉め、キー入力部７から加熱時間を入力すると表示部６に入力された時間が表示される。その後、スタートキーを押すと、マグネトロンＭが駆動されて被加熱物が加熱される。入力された加熱時間が経過すると、マグネトロンＭが停止されるとともに、調理終了を報知するための調理終了音が出力される。なお、加熱時間の入力を、キー入力部７のメモリキーを操作して行うことができるのは、デモモード状態のときと同様である。このようにデモモード解除状態では、一般ユーザ等は、調理器を所望の動作態様で使用することができる。
【００６７】
上述したように本実施形態の調理器では、操作者によってデモモード解除操作が行われると、不揮発性メモリ１３のモード記憶領域の記憶内容が消去されるとともに、パラメータ記憶領域の各動作パラメータの値が予め定められた初期値に書き直されて初期化される。したがって、販売店の店員が店頭で調理器の操作の実演を行うときに実演に最適な動作パラメータを設定した場合でも、デモモードの解除操作を行うと、動作パラメータの初期化が行われる。
【００６８】
これによって、店頭での操作実演に使用した調理器を販売して購入者に引き渡すときは、販売店の店員はデモモードを解除するための操作を行うだけでよく、従来のように店員が動作パラメータを１つずつ設定しなおして初期化させる必要がなくなるので、作業者による動作パラメータの初期化作業が不要になり、作業者の負担が大幅に軽減される。また、店員が動作パラメータの初期化を忘れることが防止されるので、調理器を購入した顧客が動作パラメータの初期化を行う必要がなくなり、顧客に負担をかけることがなくなる。
【００６９】
上記の第１および第２実施形態では、加熱手段としてマグネトロンＭを備えた調理器の場合を説明したけれども、加熱手段としてマグネトロンＭとともにたとえばニクロム線からなるいわゆる電熱ヒータを備えた調理器に本発明を適用してもよい。
【産業上の利用可能性】
【００７０】
本発明は、販売店の店頭で店員が操作の実演を行うときに設定するデモモードを備えた調理器に適用することができる。また本発明は、加熱手段としてマグネトロンを備えた調理器に対してだけでなく、マグネトロンと電熱ヒータとを備えた調理器に対しても適用することができる。
【図面の簡単な説明】
【００７１】
【図１】本発明の第１実施形態である調理器１の基本的な構成を示すブロック図である。
【図２】調理器１の外観を示す斜視図である。
【図３】第１実施形態における制御部１１の処理動作を説明するためのフローチャートである。
【図４】第２実施形態における制御部１１の処理動作を説明するためのフローチャートである。
【符号の説明】
【００７２】
１  調理器
２  ケーシング
３  加熱室
４  ドア
５  操作部
６  表示部
７  キー入力部
１１  制御部
１２  赤外線センサ
１３  不揮発性メモリ（ＥＥＰＲＯＭ）
１４  調理終了音出力部
Ｍ  マグネトロン
ＭＡ  アノード
ＭＫ  カソード
ＲＣ  半波倍電圧整流回路
Ｃ  高圧コンデンサ
Ｄ  高圧ダイオード
Ｔ  高圧トランス
Ｔ１  一次巻線
Ｔ２  二次巻線
ＴＨ  ヒータ巻線
Ｒ  マグネトロン駆動制御用リレー
ＤＳ１  第１ドアスイッチ
ＤＳ２  第２ドアスイッチ
ＭＳ  モニタースイッチ
Ｖ  交流電源
【図１】
2005233573.tif 000003
【図２】
2005233573.tif 000004
【図３】
2005233573.tif 000005
【図４】
2005233573.tif 000006